(57)【要約】【課題】隣接する表示セルの影響を少なくすることにより、安定した維持放電を行うことができるプラズマディスプレイの駆動回路を提供することを課題とする。【解決手段】第１の電極及び第２の電極を含む表示セルが点灯選択され、第１の電極に第１の電圧Ｖｓ１、第１の電極に隣接する第２の電極に第２の電圧Ｖｓ２を印加することにより第１及び第２の電極間で維持放電させるためのプラズマディスプレイパネルの駆動回路が提供される。第１及び第２の電極間の維持放電時に、第１の電極に対して第２の電極とは逆側に隣接する第３の電極の印加電圧Ｖｃの範囲は、Ｖｓ２　≦　Ｖｃ　＜　Ｖｓ１　であり、かつ、この時、第３の電極を含む表示セルが点灯選択された場合に第３の電極に形成される壁電荷の極性が正となる維持放電電圧を生成する。【選択図】　　　　図３
2004054038.tif 000002
【特許請求の範囲】
【請求項１】
第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第１の電極に対して前記第２の電極とは逆側に隣接する第３の電極の印加電圧Ｖｃの範囲は、
Ｖｓ２　≦　Ｖｃ　＜　Ｖｓ１　であり、
かつ、この時、前記第３の電極を含む表示セルが点灯選択された場合に前記第３の電極に形成される壁電荷の極性が正となる維持放電電圧を生成する維持放電回路を有するプラズマディスプレイの駆動回路。
【請求項２】
第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第２の電極に対して前記第１の電極とは逆側に隣接する第３の電極の印加電圧Ｖｄの範囲は、
Ｖｓ２　≦　Ｖｄ　＜　Ｖｓ１　であり、
かつ、この時、前記第３の電極を含む表示セルが点灯選択された場合に前記第３の電極に形成される壁電荷の極性が正となる維持放電電圧を生成する維持放電回路を有するプラズマディスプレイの駆動回路。
【請求項３】
第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第１の電極に対して前記第２の電極とは逆側に隣接する第３の電極の印加電圧Ｖｃの範囲は、
Ｖｓ２　＜　Ｖｃ　＜　Ｖｓ１　であり、
かつ、この時、前記第３の電極を含む表示セルが点灯選択された場合に前記第３の電極に形成される壁電荷の極性が負となる維持放電電圧を生成する維持放電回路を有するプラズマディスプレイの駆動回路。
【請求項４】
第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第１の電極に対して前記第２の電極とは逆側に隣接する第３の電極の印加電圧Ｖｃの範囲は、
最初の５００ｎｓ以内がＶｃ　＝　Ｖｓ１、
その後がＶｓ２　＜　Ｖｃ　＜　Ｖｓ１　であり、
かつ、この時、前記第３の電極を含む表示セルが点灯選択された場合に前記第３の電極に形成される壁電荷の極性が負となる維持放電電圧を生成する維持放電回路を有するプラズマディスプレイの駆動回路。
【請求項５】
第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第２の電極に対して前記第１の電極とは逆側に隣接する第３の電極の印加電圧Ｖｄの範囲は、
Ｖｓ２　≦　Ｖｄ　≦　Ｖｓ１　であり、
かつ、この時、前記第３の電極を含む表示セルが点灯選択された場合に前記第３の電極に形成される壁電荷の極性が負となる維持放電電圧を生成する維持放電回路を有するプラズマディスプレイの駆動回路。
【請求項６】
第１〜第６の電極が順に隣接するプラズマディスプレイの駆動回路であって、
前記第３の電極に第２の電圧Ｖｓ２、前記第４の電極に第１の電圧Ｖｓ１を印加することにより前記第３及び第４の電極間で維持放電させる際に、
前記第２の電極の印加電圧Ｖ２の範囲は、Ｖｓ２　≦　Ｖ２　＜　Ｖｓ１であり、かつ、この時、前記第１及び第２の電極を含む表示セルが点灯選択された場合に前記第２の電極に形成される壁電荷の極性が正となり、
前記第５の電極の印加電圧Ｖ５の範囲は、Ｖｓ２　＜　Ｖ５　＜　Ｖｓ１であり、かつ、この時、前記第５及び第６の電極を含む表示セルが点灯選択された場合に前記第５の電極に形成される壁電荷の極性が負となり、
次に、前記第１の電極に第２の電圧Ｖｓ２、前記第２の電極に第１の電圧Ｖｓ１を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第２の電圧Ｖｓ２、前記第６の電極に第１の電圧Ｖｓ１を印加することにより前記第５及び第６の電極間で維持放電させる際に、前記第４の電極の印加電圧Ｖ４の範囲は、Ｖｓ２　≦　Ｖ４　≦　Ｖｓ１であり、
次に、前記第１の電極に第１の電圧Ｖｓ１、前記第２の電極に第２の電圧Ｖｓ２を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第１の電圧Ｖｓ１、前記第６の電極に第２の電圧Ｖｓ２を印加することにより前記第５及び第６の電極間で維持放電させる際に、前記第４の電極の印加電圧Ｖ４の範囲は、Ｖｓ２　＜　Ｖ４　＜　Ｖｓ１であり、
次に、前記第３の電極に第１の電圧Ｖｓ１、前記第４の電極に第２の電圧Ｖｓ２を印加することにより前記第３及び第４の電極間で維持放電させる際に、前記第２の電極の印加電圧Ｖ２の範囲は、Ｖｓ２　≦　Ｖ２　＜　Ｖｓ１であり、前記第５の電極の印加電圧Ｖ５の範囲は、Ｖｓ２　≦　Ｖ５　≦　Ｖｓ１であるような維持放電電圧を生成する維持放電回路を有するプラズマディスプレイの駆動回路。
【請求項７】
第１〜第６の電極が順に隣接するプラズマディスプレイの駆動回路であって、
前記第３の電極に第２の電圧Ｖｓ２、前記第４の電極に第１の電圧Ｖｓ１を印加することにより前記第３及び第４の電極間で維持放電させる際に、
前記第２の電極の印加電圧Ｖ２の範囲は、Ｖｓ２　≦　Ｖ２　＜　Ｖｓ１であり、かつ、この時、前記第１及び第２の電極を含む表示セルが点灯選択された場合に前記第２の電極に形成される壁電荷の極性が正となり、
前記第５の電極の印加電圧Ｖ５の範囲は、最初の５００ｎｓ以内がＶ５　＝　Ｖｓ１、その後がＶｓ２　＜　Ｖ５　＜　Ｖｓ１　であり、かつ、この時、前記第５及び第６の電極を含む表示セルが点灯選択された場合に前記第５の電極に形成される壁電荷の極性が負となり、
次に、前記第１の電極に第２の電圧Ｖｓ２、前記第２の電極に第１の電圧Ｖｓ１を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第２の電圧Ｖｓ２、前記第６の電極に第１の電圧Ｖｓ１を印加することにより前記第５及び第６の電極間で維持放電させる際に、前記第４の電極の印加電圧Ｖ４の範囲は、Ｖｓ２　≦　Ｖ４　≦　Ｖｓ１であり、
次に、前記第１の電極に第１の電圧Ｖｓ１、前記第２の電極に第２の電圧Ｖｓ２を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第１の電圧Ｖｓ１、前記第６の電極に第２の電圧Ｖｓ２を印加することにより前記第５及び第６の電極間で維持放電させる際に、前記第４の電極の印加電圧Ｖ４の範囲は、最初の５００ｎｓ以内がＶ４　＝　Ｖｓ１、その後がＶｓ２　＜　Ｖ４　＜　Ｖｓ１　であり、
次に、前記第３の電極に第１の電圧Ｖｓ１、前記第４の電極に第２の電圧Ｖｓ２を印加することにより前記第３及び第４の電極間で維持放電させる際に、前記第２の電極の印加電圧Ｖ２の範囲は、Ｖｓ２　≦　Ｖ２　＜　Ｖｓ１であり、前記第５の電極の印加電圧Ｖ５の範囲は、Ｖｓ２　≦　Ｖ５　≦　Ｖｓ１であるような維持放電電圧を生成する維持放電回路を有するプラズマディスプレイの駆動回路。
【請求項８】
維持放電を行うための複数の電極対が互いに並列に配置されると共に、該電極対と交差するように複数のアドレス電極が配置され、該電極対と該アドレス電極との交点により表示セルが規定されてなるプラズマディスプレイパネルであって、
各表示セルの点灯又は非点灯を選択するためのアドレス期間と、該アドレス期間に引き続いて、各表示セルにおける表示のための放電発光を行うための維持放電期間とを有し、
該維持放電期間においては、
該維持放電期間において表示を行う複数の前記電極対のうち、偶数番目の電極対と奇数番目の電極対の放電発光とを、異なるタイミングにて行うプラズマディスプレイパネル。
【請求項９】
前記維持放電期間において、偶数番目の電極対と奇数番目の電極対のうちの一方の放電発光を先行させ、次いで他方の放電発光を実施するものであり、
前記一方の電極対における印加電圧は、該一方の電極対における放電発光の開始から該他方の電極対における放電発光の終了まで維持される請求項８記載のプラズマディスプレイパネル。
【請求項１０】
前記一方の電極対における放電発光を実施する際において、
一方の電極対を構成する電極のうち、一方の電極には第１の電圧Ｖｓ１が、他方の電極には第２の電圧Ｖｓ２が印加されるものであり（ただしＶｓ１＞Ｖｓ２）、
前記他方の電極対を構成する電極のうち、前記一方の電極に隣接する電極の印加電圧Ｖｃの範囲は、Ｖｓ２　＜　Ｖｃ　＜　Ｖｓ１であり、前記他方の電極に隣接する電極の印加電圧Ｖｄは、Ｖｓ２　≦　Ｖｄ　＜　Ｖｓ１である請求項９記載のプラズマディスプレイパネル。
【発明の詳細な説明】
【０００１】
【発明の属する技術分野】
本発明は、プラズマディスプレイの駆動回路及びプラズマディスプレイパネルに関する。
【０００２】
【従来の技術】
図２５は、プラズマディスプレイ装置の基本構成を示す図である。制御回路部１１０１は、アドレスドライバ１１０２、維持電極（Ｘ電極）サステイン（維持放電）回路１１０３、スキャン電極（Ｙ電極）サステイン回路１１０４、及びスキャンドライバ１１０５の制御を行う。
【０００３】
アドレスドライバ１１０２は、アドレス電極Ａ１，Ａ２，Ａ３，・・・に所定の電圧を供給する。以下、アドレス電極Ａ１，Ａ２，Ａ３，・・・の各々を又はそれらの総称を、アドレス電極Ａｊといい、ｊは添え字を意味する。
【０００４】
スキャンドライバ１１０５は、制御回路部１１０１及びスキャン電極サステイン回路１１０４の制御に応じて、スキャン電極Ｙ１，Ｙ２，Ｙ３，・・・に所定の電圧を供給する。以下、スキャン電極Ｙ１，Ｙ２，Ｙ３，・・・の各々を又はそれらの総称を、スキャン電極Ｙｉといい、ｉは添え字を意味する。
【０００５】
維持電極サステイン回路１１０３は、維持電極Ｘ１，Ｘ２，Ｘ３，・・・にそれぞれ同一の電圧を供給する。以下、維持電極Ｘ１，Ｘ２，Ｘ３，・・・の各々を又はそれらの総称を、維持電極Ｘｉといい、ｉは添え字を意味する。各維持電極Ｘｉは相互接続され、同一の電圧レベルを有する。
【０００６】
表示領域１１０７では、スキャン電極Ｙｉ及び維持電極Ｘｉが水平方向に並列に延びる行を形成し、アドレス電極Ａｊが垂直方向に延びる列を形成する。スキャン電極Ｙｉ及び維持電極Ｘｉは、垂直方向に交互に配置される。リブ１１０６は、各アドレス電極Ａｊ間に設けられるストライプリブ構造を有する。
【０００７】
スキャン電極Ｙｉ及びアドレス電極Ａｊは、ｉ行ｊ列の２次元行列を形成する。表示セルＣｉｊは、スキャン電極Ｙｉ及びアドレス電極Ａｊの交点並びにそれに対応して隣接する維持電極Ｘｉにより形成される。この表示セルＣｉｊが画素に対応し、表示領域１１０７は２次元画像を表示することができる。
【０００８】
図２６（Ａ）は、図２５の表示セルＣｉｊの断面構成を示す図である。維持電極Ｘｉ及びスキャン電極Ｙｉは、前面ガラス基板１２１１上に形成されている。その上には、放電空間１２１７に対し絶縁するための誘電体層１２１２が被着されるとともに、更にその上にＭｇＯ（酸化マグネシウム）保護膜１２１３が被着されている。
【０００９】
一方、アドレス電極Ａｊは、前面ガラス基板１２１１と対向して配置された背面ガラス基板１２１４上に形成され、その上には誘電体層１２１５が被着され、更にその上に蛍光体が被着されている。ＭｇＯ保護膜１２１３と誘電体層１２１５との間の放電空間１２１７には、Ｎｅ＋Ｘｅペニングガス等が封入されている。
【００１０】
図２６（Ｂ）は、交流駆動型プラズマディスプレイの容量Ｃｐを説明するための図である。容量Ｃａは、維持電極Ｘｉとスキャン電極Ｙｉとの間の放電空間１２１７の容量である。容量Ｃｂは、維持電極Ｘｉとスキャン電極Ｙｉとの間の誘電体層１２１２の容量である。容量Ｃｃは、維持電極Ｘｉとスキャン電極Ｙｉとの間の前面ガラス基板１２１１の容量である。これらの容量Ｃａ，Ｃｂ，Ｃｃの合計によって、電極Ｘｉ及びＹｉ間の容量が決まる。
【００１１】
図２６（Ｃ）は、交流駆動型プラズマディスプレイの発光を説明するための図である。リブ１２１６の内面には、赤、青、緑色の蛍光体１２１８がストライプ状に各色毎に配列、塗付されており、維持電極Ｘｉ及びスキャン電極Ｙｉの間の放電によって蛍光体１２１８を励起して光１２２１が生成されるようになっている。
【００１２】
図２７は、画像の１フレームＦＲの構成図である。画像は、例えば６０フレーム／秒で形成される。１フレームＦＲは、第１のサブフレームＳＦ１、第２のサブフレームＳＦ２、・・・、第ｎのサブフレームＳＦｎにより形成される。このｎは、例えば１０であり、階調ビット数に相当する。サブフレームＳＦ１，ＳＦ２等の各々を又はそれらの総称を、以下、サブフレームＳＦという。
【００１３】
各サブフレームＳＦは、リセット期間Ｔｒ、アドレス期間Ｔａ、及びサステイン期間（維持放電期間）Ｔｓにより構成される。リセット期間Ｔｒでは、表示セルの初期化を行う。アドレス期間Ｔａでは、アドレス指定により各表示セルの点灯又は非点灯を選択することができる。選択されたセルはサステイン期間Ｔｓで発光を行う。各ＳＦにおいて発光回数（時間）が異なる。これにより、階調値を決めることができる。
【００１４】
図２８は、従来技術によるプログレッシブ方式のプラズマディスプレイのサステイン期間Ｔｓにおける駆動方法を示す。時刻ｔ１で、維持電極Ｘｎ−１，Ｘｎ，Ｘｎ＋１に陽極電位Ｖｓ１を印加し、スキャン電極Ｙｎ−１，Ｙｎ，Ｙｎ＋１に陰極電位Ｖｓ２を印加する。これにより、維持電極Ｘｎ−１とスキャン電極Ｙｎ−１の間、維持電極Ｘｎとスキャン電極Ｙｎの間、維持電極Ｘｎ＋１とスキャン電極Ｙｎ＋１の間に、それぞれ高電圧が印加されて維持放電１４１０が行われる。
【００１５】
次に、時刻ｔ２で、維持電極Ｘｎ−１，Ｘｎ，Ｘｎ＋１に陰極電位Ｖｓ２を印加し、スキャン電極Ｙｎ−１，Ｙｎ，Ｙｎ＋１に陽極電位Ｖｓ１を印加する。これにより、維持電極Ｘｎ−１とスキャン電極Ｙｎ−１の間、維持電極Ｘｎとスキャン電極Ｙｎの間、維持電極Ｘｎ＋１とスキャン電極Ｙｎ＋１の間に、それぞれ高電圧が印加されて維持放電１４１０が行われる。
【００１６】
次に、時刻ｔ３では、時刻ｔ１と同様の電位を印加することにより維持放電１４１０を行い、時刻ｔ４では、時刻ｔ３と同様の電位を印加することにより維持放電１４１０を行う。
【００１７】
図２９は、従来技術によるＡＬＩＳ（Ａｌｔｅｒｎａｔｅ　Ｌｉｇｈｔｉｎｇ　ｏｆ　Ｓｕｒｆａｃｅｓ）方式のプラズマディスプレイのサステイン期間Ｔｓにおける駆動方法を示す。時刻ｔ１で、奇数行の維持電極Ｘｎ−１，Ｘｎ＋１に陽極電位Ｖｓ１を印加し、奇数行のスキャン電極Ｙｎ−１，Ｙｎ＋１に陰極電位Ｖｓ２を印加する。そして、偶数行の維持電極Ｘｎに陰極電位Ｖｓ２を印加し、偶数行のスキャン電極Ｙｎに陽極電位Ｖｓ１を印加する。これにより、維持電極Ｘｎ−１とスキャン電極Ｙｎ−１の間、維持電極Ｘｎとスキャン電極Ｙｎの間、維持電極Ｘｎ＋１とスキャン電極Ｙｎ＋１の間に、それぞれ高電圧が印加されて維持放電１５１０が行われる。
【００１８】
次に、時刻ｔ２で、奇数行の維持電極Ｘｎ−１，Ｘｎ＋１に陰極電位Ｖｓ２を印加し、奇数行のスキャン電極Ｙｎ−１，Ｙｎ＋１に陽極電位Ｖｓ１を印加する。そして、偶数行の維持電極Ｘｎに陽極電位Ｖｓ１を印加し、偶数行のスキャン電極Ｙｎに陰極電位Ｖｓ２を印加する。これにより、維持電極Ｘｎ−１とスキャン電極Ｙｎ−１の間、維持電極Ｘｎとスキャン電極Ｙｎの間、維持電極Ｘｎ＋１とスキャン電極Ｙｎ＋１の間に、それぞれ高電圧が印加されて維持放電１５１０が行われる。
【００１９】
次に、時刻ｔ３では、時刻ｔ１と同様の電位を印加することにより維持放電１５１０を行い、時刻ｔ４では、時刻ｔ３と同様の電位を印加することにより維持放電１５１０を行う。
【００２０】
【発明が解決しようとする課題】
プラズマディスプレイの高精細化が進むにつれ、隣接している電極間の距離が縮まる。これにより放電空間を構成している維持電極Ｘｎとスキャン電極Ｙｎに対し、隣接して配置されているスキャン電極Ｙｎ−１と維持電極Ｘｎ＋１の距離がそれぞれ短くなる。
【００２１】
そのため維持電極Ｘｎとスキャン電極Ｙｎ間で放電する際、それぞれスキャン電極Ｙｎ−１又は維持電極Ｘｎ＋１に電子の拡散（移動）が生じやすく、維持電極Ｘｎ−１とスキャン電極Ｙｎ−１、又は維持電極Ｘｎ＋１とスキャン電極Ｙｎ＋１で構成されている隣接表示セルが、本来、消灯時に点灯、又は点灯時に放電が維持できず消灯という誤表示が生じやすい。
【００２２】
本発明の目的は、隣接する表示セルの影響を少なくすることにより、安定した維持放電を行うことができるプラズマディスプレイの駆動回路及びプラズマディスプレイパネルを提供することである。
【００２３】
【課題を解決するための手段】
本発明の一観点によれば、第１の電極及び第２の電極を含む表示セルが点灯選択され、第１の電極に第１の電圧Ｖｓ１、第１の電極に隣接する第２の電極に第２の電圧Ｖｓ２を印加することにより第１及び第２の電極間で維持放電させるためのプラズマディスプレイパネルの駆動回路が提供される。第１及び第２の電極間の維持放電時に、第１の電極に対して第２の電極とは逆側に隣接する第３の電極の印加電圧Ｖｃの範囲は、Ｖｓ２　≦　Ｖｃ　＜　Ｖｓ１　であり、かつ、この時、第３の電極を含む表示セルが点灯選択された場合に第３の電極に形成される壁電荷の極性が正となる維持放電電圧を生成する。
【００２４】
本発明の他の観点によれば、維持放電を行うための複数の電極対が互いに並列に配置されると共に、該電極対と交差するように複数のアドレス電極が配置され、該電極対と該アドレス電極との交点により表示セルが規定されてなるプラズマディスプレイパネルであって、各表示セルの点灯又は非点灯を選択するためのアドレス期間と、該アドレス期間に引き続いて、各表示セルにおける表示のための放電発光を行うための維持放電期間とを有し、該維持放電期間においては、該維持放電期間において表示を行う複数の前記電極対のうち、偶数番目の電極対と奇数番目の電極対の放電発光とを、異なるタイミングにて行うプラズマディスプレイパネルが提供される。
【００２５】
第１及び第２の表示電極の間で維持放電を行わせる際に、その維持放電を行う第１及び第２の電極に隣接する第３の電極の印加電圧及び第３の電極に形成される壁電荷の極性を制御することにより、第１及び第２の電極上の電荷が隣接電極へ拡散することを防ぎ、誤表示をなくすことができる。
【００２６】
【発明の実施の形態】
（第１の実施形態）
図１は、本発明の第１の実施形態によるプラズマディスプレイ装置の構成を示す図である。制御回路部１０１は、アドレスドライバ１０２、維持電極（Ｘ電極）サステイン回路１０３ａ，１０３ｂ、スキャン電極（Ｙ電極）サステイン回路１０４ａ，１０４ｂ、及びスキャンドライバ１０５ａ，１０５ｂの制御を行う。
【００２７】
アドレスドライバ１０２は、アドレス電極Ａ１，Ａ２，Ａ３，・・・に所定の電圧を供給する。以下、アドレス電極Ａ１，Ａ２，Ａ３，・・・の各々を又はそれらの総称を、アドレス電極Ａｊといい、ｊは添え字を意味する。
【００２８】
第１のスキャンドライバ１０５ａは、制御回路部１０１及び第１のスキャン電極サステイン回路１０４ａの制御に応じて、奇数行のスキャン電極（第１の放電電極）Ｙ１，Ｙ３，・・・に所定の電圧を供給する。第２のスキャンドライバ１０５ｂは、制御回路部１０１及び第２のスキャン電極サステイン回路１０４ｂの制御に応じて、偶数行のスキャン電極Ｙ２，Ｙ４，・・・に所定の電圧を供給する。以下、スキャン電極Ｙ１，Ｙ２，Ｙ３，・・・の各々を又はそれらの総称を、スキャン電極Ｙｉといい、ｉは添え字を意味する。
【００２９】
第１の維持電極サステイン回路１０３ａは、奇数行の維持電極（第２の放電電極）Ｘ１，Ｘ３，・・・にそれぞれ同一の電圧を供給する。第２の維持電極サステイン回路１０３ｂは、偶数行の維持電極Ｘ２，Ｘ４，・・・にそれぞれ同一の電圧を供給する。以下、維持電極Ｘ１，Ｘ２，Ｘ３，・・・の各々を又はそれらの総称を、維持電極Ｘｉといい、ｉは添え字を意味する。
【００３０】
表示領域１０７では、スキャン電極Ｙｉ及び維持電極Ｘｉが水平方向に並列に延びる行を形成し、アドレス電極Ａｊが垂直方向に延びる列を形成する。スキャン電極Ｙｉ及び維持電極Ｘｉは、垂直方向に交互に配置される。リブ１０６は、各アドレス電極Ａｊ間に設けられるストライプリブ構造を有する。
【００３１】
スキャン電極Ｙｉ及びアドレス電極Ａｊは、ｉ行ｊ列の２次元行列を形成する。表示セルＣｉｊは、スキャン電極Ｙｉ及びアドレス電極Ａｊの交点並びにそれに対応して隣接する維持電極Ｘｉにより形成される。この表示セルＣｉｊが画素に対応し、表示領域１０７は２次元画像を表示することができる。表示セルＣｉｊの構成は、上記の図２６（Ａ）〜（Ｃ）と同じである。
【００３２】
図２は、プログレッシブ方式のプラズマディスプレイの断面図である。ガラス基板２０１上には、維持電極Ｘｎ−１及びスキャン電極Ｙｎ−１の表示セル、維持電極Ｘｎ及びスキャン電極Ｙｎの表示セル、維持電極Ｘｎ＋１及びスキャン電極Ｙｎ＋１の表示セル等が形成される。各表示セルの間には、遮光体２０３が設けられる。誘電体層２０２は、遮光体２０３及び電極Ｘｉ，Ｙｉを覆うように設けられる。保護膜２０８は、誘電体層２０２上に設けられる。
【００３３】
ガラス基板２０７の下には、アドレス電極２０６及び誘電体層２０５が設けられる。放電空間２０４は、保護膜２０８及び誘電体層２０５の間に設けられ、Ｎｅ＋Ｘｅペニングガス等が封入されている。表示セルでの放電光は、蛍光体１２１８（図２６（Ｃ））に反射してガラス基板２０１を透過して表示される。
【００３４】
プログレッシブ方式では、表示セルを構成する対となる電極Ｘｎ−１，Ｙｎ−１の間の間隔、電極Ｘｎ，Ｙｎの間の間隔、電極Ｘｎ＋１，Ｙｎ＋１の間の間隔が狭く、放電が可能である。そして、異なる表示セルにまたがる電極Ｙｎ−１，Ｘｎの間の間隔、電極Ｙｎ，Ｘｎ＋１の間の間隔が広く、放電を行わない。すなわち、各電極は、その一方の隣の電極に対してのみ維持放電が可能である。
【００３５】
プラズマディスプレイが表示する画像のフレームは、上記の図２７と同じである。図２７において、まず、リセット期間Ｔｒでは、各スキャン電極Ｙｉ及び維持電極Ｘｉ間に所定の電圧を印加して電荷の全面書き込み及び全面消去を行い、前回の表示内容を消去して所定の壁電荷を形成する。
【００３６】
次に、アドレス期間Ｔａでは、アドレス電極Ａｊに正電位のパルス（点灯選択電圧）を印加し、所望のスキャン電極Ｙｉに、順次スキャンで、陰極電位Ｖｓ２のパルスを印加する。これらパルスにより、アドレス電極Ａｊとスキャン電極Ｙｉとの間でアドレス放電が行われ、表示セルのアドレス選択（点灯選択）がなされる。
【００３７】
次に、サステイン期間（維持放電期間）Ｔｓでは、各維持電極Ｘｉと各スキャン電極Ｙｉとの間に所定の電圧を印加することにより、アドレス期間Ｔａでアドレス選択した表示セルに対応する維持電極Ｘｉとスキャン電極Ｙｉとの間で維持放電を行い、発光する。
【００３８】
図３は、プログレッシブ方式のプラズマディスプレイのサステイン期間Ｔｓにおける駆動方法を示すタイミングチャートである。電極Ｘｎ−１，Ｙｎ−１，Ｘｎ，Ｙｎ，Ｘｎ＋１，Ｙｎ＋１，Ｘｎ＋２，Ｙｎ＋２等が順に並んで設けられる。
【００３９】
まず、時刻ｔ１〜ｔ２において、電極Ｘｎ，Ｙｎ間及び電極Ｘｎ＋２，Ｙｎ＋２間で第１の放電ＤＥ１が行われる。次に、時刻ｔ３〜ｔ４において、電極Ｘｎ−１，Ｙｎ−１間及び電極Ｘｎ＋１，Ｙｎ＋１間で第２の放電ＤＥ２が行われる。次に、時刻ｔ５〜ｔ６において、電極Ｘｎ−１，Ｙｎ−１間及び電極Ｘｎ＋１，Ｙｎ＋１間で第３の放電ＤＥ３が行われる。次に、時刻ｔ７〜ｔ８において、電極Ｘｎ，Ｙｎ間及び電極Ｘｎ＋２，Ｙｎ＋２間で第４の放電ＤＥ４が行われる。第１〜第４の放電ＤＥ１〜ＤＥ４を１サイクルとして維持放電を繰り返す。これにより、放電時の負の電荷（電子）の隣接電極への拡散を防ぐことができる。
【００４０】
ここで、奇数行の維持電極Ｘｎ−１，Ｘｎ＋１等には同じ電圧、偶数行の維持電極Ｘｎ，Ｘｎ＋２等には同じ電圧、奇数行のスキャン電極Ｙｎ−１，Ｙｎ＋１等には同じ電圧、偶数行のスキャン電極Ｙｎ，Ｙｎ＋２等には同じ電圧が印加される。
【００４１】
サステイン期間Ｔｓにおいては、サステイン期間Ｔｓにおいて表示を行う複数の表示セルの電極対のうち、偶数番目の電極対と奇数番目の電極対の放電発光とを、異なるタイミングにて行う。例えば、奇数番目の電極対では放電ＤＥ１及びＤＥ４を行い、偶数番目の電極対ではそれと異なるタイミングで放電ＤＥ２及びＤＥ３を行う。
【００４２】
また、偶数番目の電極対と奇数番目の電極対のうちの一方の放電発光を先行させ、次いで他方の放電発光を実施する。その際、上記一方の電極対における印加電圧は、該一方の電極対における放電発光の開始から該他方の電極対における放電発光の終了まで維持される。
【００４３】
（第１の放電）
図４（Ａ）〜（Ｃ）は、図３の第１の放電ＤＥ１の条件を説明するための図である。アドレス期間Ｔａ（図２７）にて電極Ｘｎ及び電極Ｙｎの表示セルをアドレス選択（点灯選択）し、サステイン期間Ｔｓ（図２７）にて電極Ｘｎに陰極電圧Ｖｓ２、電極Ｙｎに陽極電圧Ｖｓ１を印加することにより電極Ｘｎ及びＹｎ間で放電する。この時、電極Ｘｎ−１及びＹｎ−１の表示セルがアドレス選択されていれば、隣接電極Ｙｎ−１には正の壁電荷が形成され、電極Ｘｎ＋１及びＹｎ＋１の表示セルがアドレス選択されていれば、隣接電極Ｘｎ＋１には負の壁電荷が形成されている。奇数行の維持電極Ｘｎ−１及びＸｎ＋１には同じ電圧、奇数行のスキャン電極Ｙｎ−１及びＹｎ＋１には同じ電圧が印加される。
【００４４】
図４（Ａ）は、電極Ｘｎ及びＹｎ間で放電する際、隣接電極Ｙｎ−１及びＸｎ＋１の電圧を（Ｖｓ１＋Ｖｓ２）／２に設定した図である。この場合、電極Ｘｎ及びＹｎ上の壁電荷は、隣接電極Ｙｎ−１又はＸｎ＋１に拡散せず、誤表示を防止できる。
【００４５】
図４（Ｂ）は、電極Ｘｎ及びＹｎ間で放電する際、隣接電極Ｙｎ−１及びＸｎ＋１の電圧を陰極電圧Ｖｓ２に設定した図である。この場合、隣接電極Ｘｎ＋１上の負の壁電荷が電極Ｙｎ上に拡散してしまう。したがって、隣接電極Ｘｎ＋１は陰極電圧Ｖｓ２より大きくなければならない。一方、電極Ｘｎ及びＹｎ上の壁電荷は隣接電極Ｙｎ−１に拡散しない。したがって、隣接電極Ｙｎ−１は陰極電圧Ｖｓ２以上であればよい。
【００４６】
図４（Ｃ）は、電極Ｘｎ及びＹｎ間で放電する際、隣接電極Ｙｎ−１及びＸｎ＋１の電圧を陽極電圧Ｖｓ１に設定した図である。この場合、隣接電極Ｘｎ上の負の壁電荷が隣接電極Ｙｎ−１上に拡散してしまう。したがって、隣接電極Ｙｎ−１は陽極電圧Ｖｓ１より小さくなければならない。一方、電極Ｘｎ＋１上に負の電荷があれば、電極Ｘｎ上の負の壁電荷は電極Ｙｎを介して電極Ｘｎ＋１上に拡散しない。ただし、電極Ｘｎ＋１及びＹｎ＋１の表示セルがアドレス選択されていなければ、電極Ｘｎ＋１及びＹｎ＋１上に壁電荷が存在しない。その場合、電極Ｘｎ上の負の壁電荷は電極Ｙｎを介して電極Ｘｎ＋１上に拡散してしまう。これにより、後に電極Ｘｎ＋１及びＹｎ＋１の表示セルが誤点灯してしまうことがある。したがって、隣接電極Ｘｎ＋１は陽極電圧Ｖｓ１より小さくなければならない。
【００４７】
なお、同様に、図４（Ｂ）において、電極Ｘｎ−１及びＹｎ−１の表示セルがアドレス選択されていなければ、電極Ｘｎ−１及びＹｎ−１上に壁電荷が存在しない。この場合も、電極Ｙｎ上の正の壁電荷が電極Ｘｎを介して電極Ｙｎ−１に拡散するのではないかとも考えられる。しかし、実際上は、正の壁電荷は、負の壁電荷よりも質量が大きいので、負の壁電荷に比べて拡散し難い。したがって、図４（Ｂ）では、電極Ｙｎ上の正の壁電荷は、電極Ｘｎを介して電極Ｙｎ−１へ拡散することはない。
【００４８】
以上の条件をまとめて説明する。電極Ｘｎに陰極電圧Ｖｓ２、電極Ｙｎに陽極電圧Ｖｓ１を印加し、電極Ｘｎ及びＹｎ間で放電させたとき、隣接電極Ｙｎ−１の印加電圧Ｖｙｎ−１は、以下の範囲で設定すればよい。例えば、図３では電圧Ｖｙｎ−１＝（Ｖｓ１＋Ｖｓ２）／２である。
Ｖｓ２　≦　Ｖｙｎ−１　　＜　Ｖｓ１
【００４９】
また、隣接電極Ｘｎ＋１の印加電圧Ｖｘｎ＋１は、以下の範囲で設定すればよい。例えば、図３では電圧Ｖｘｎ＋１　　＝（Ｖｓ１＋Ｖｓ２）／２である。
Ｖｓ２　＜　　Ｖｘｎ＋１　＜　　Ｖｓ１
【００５０】
上記のように、この時、隣接電極Ｘｎ−１，Ｙｎ−１間がサステイン（維持放電）によって点灯する場合、電極Ｙｎ−１には電極Ｘｎ−１，Ｙｎ−１間による前サステインによって生成された壁電荷の極性が正となる。また、同様に、隣接電極Ｘｎ＋１，Ｙｎ＋１間がサステインによって点灯する場合、電極Ｘｎ＋１には電極Ｘｎ＋１，Ｙｎ＋１間による前サステインによって生成された壁電荷の極性が負となる。このような維持放電電圧によって、電極Ｘｎ上の負の壁電荷は電極Ｙｎ−１又は電極Ｘｎ＋１へ拡散しなくなる。
【００５１】
（第２の放電）
図５（Ａ）〜（Ｃ）は、図３の第２の放電ＤＥ２の条件を説明するための図である。アドレス期間Ｔａ（図２７）にて電極Ｘｎ−１及び電極Ｙｎ−１の表示セルをアドレス選択（点灯選択）し、サステイン期間Ｔｓ（図２７）にて電極Ｘｎ−１に陰極電圧Ｖｓ２、電極Ｙｎ−１に陽極電圧Ｖｓ１を印加することにより電極Ｘｎ−１及びＹｎ−１間で放電する。この時、電極Ｘｎ−２及びＹｎ−２の表示セルがアドレス選択されていれば、電極Ｙｎ−２には負の壁電荷が形成され、電極Ｘｎ及びＹｎの表示セルがアドレス選択されていれば、電極Ｘｎには正の壁電荷が形成されている。偶数行の維持電極Ｘｎ−２及びＸｎには同じ電圧、偶数行のスキャン電極Ｙｎ−２及びＹｎには同じ電圧が印加される。
【００５２】
図５（Ａ）は、電極Ｘｎ−１及びＹｎ−１間で放電する際、隣接電極Ｙｎ−２及びＸｎの電圧を（Ｖｓ１＋Ｖｓ２）／２に設定した図である。この場合、電極Ｘｎ−１及びＹｎ−１上の壁電荷は、隣接電極Ｙｎ−２又はＸｎに拡散せず、誤表示を防止できる。
【００５３】
図５（Ｂ）は、電極Ｘｎ−１及びＹｎ−１間で放電する際、隣接電極Ｙｎ−２及びＸｎの電圧を陰極電圧Ｖｓ２に設定した図である。この場合、電極Ｘｎ−１及びＹｎ−１上の電荷は電極Ｘｎ上に拡散しない。なお、電極Ｙｎ−１及びＸｎ上には共に正の壁電荷が形成されるので、電極Ｙｎ−１及びＸｎ間で電荷の移動はない。また、電極Ｘｎ及びＹｎの表示セルがアドレス選択されずに電極Ｘｎ及びＹｎ上に壁電荷が存在しない場合でも、電極Ｙｎ−１上の正の壁電荷は電極Ｘｎ上に拡散しない。この時、電極Ｘｎ上に負の壁電荷が存在することはない。したがって、隣接電極Ｘｎは陰極電圧Ｖｓ２以上であればよい。一方、電極Ｘｎ−１及びＹｎ−１上の電荷は隣接電極Ｙｎ−２に拡散しない。なお、電極Ｙｎ−１上の正の壁電荷は、負の壁電荷に比べて質量が大きいので、電極Ｙｎ−１上の正の壁電荷は電極Ｘｎ−１を介して電極Ｙｎ−２に拡散することはない。したがって、隣接電極Ｙｎ−２は陰極電圧Ｖｓ２以上であればよい。
【００５４】
図５（Ｃ）は、電極Ｘｎ−１及びＹｎ−１間で放電する際、隣接電極Ｙｎ−２及びＸｎの電圧を陽極電圧Ｖｓ１に設定した図である。この場合、電極Ｘｎ−１及びＹｎ−１上の電荷は、隣接電極Ｙｎ−２に拡散しない。なお、電極Ｘｎ−１及びＹｎ−２上には共に負の壁電荷が形成されるので、電極Ｘｎ−１及びＹｎ−２間で電荷の移動はない。また、電極Ｘｎ−２及びＹｎ−２の表示セルがアドレス選択されずに電極Ｘｎ−２及びＹｎ−２上に壁電荷が存在しなくても、電極Ｘｎ−１上の負の壁電荷は電極Ｙｎ−２上に拡散しない。したがって、隣接電極Ｙｎ−２は陽極電圧Ｖｓ１以下であればよい。一方、電極Ｙｎ−１及びＸｎは同電位であるので、電極Ｘｎ−１上の負の壁電荷は電極Ｙｎ−１及びその隣接電極Ｘｎに拡散してしまう。この際、電極Ｘｎ及びＹｎの表示セルのアドレス選択に応じて電極Ｘｎ上に正の壁電荷がある場合でもない場合でも、電極Ｘｎ−１上の負の壁電荷は電極Ｘｎ上に拡散してしまう。したがって、隣接電極Ｘｎは陽極電圧Ｖｓ１より小さくなければならない。
【００５５】
以上の条件をまとめて説明する。電極Ｘｎ−１に陰極電圧Ｖｓ２、電極Ｙｎ−１に陽極電圧Ｖｓ１を印加し、電極Ｘｎ−１及びＹｎ−１間を放電させた時、電極Ｘｎの印加電圧Ｖｘｎは、以下の範囲で設定すればよい。例えば、図３では電圧Ｖｘｎ　＝Ｖｓ２である。
Ｖｓ２　≦　Ｖｘｎ　　＜　Ｖｓ１
【００５６】
また、同様に、電極Ｘｎ−１に陰極電圧Ｖｓ２、電極Ｙｎ−１に陽極電圧Ｖｓ１を印加し、電極Ｘｎ−１及びＹｎ−１間を放電させた時、電極Ｙｎ−２（Ｙｎ）の印加電圧Ｖｙｎは、以下の範囲で設定すればよい。例えば、図３では電圧Ｖｙｎ　　＝Ｖｓ１である。
Ｖｓ２　≦　Ｖｙｎ　　≦　Ｖｓ１
【００５７】
この時、電極Ｘｎ及びＹｎ間がサステイン（維持放電）によって点灯する場合、電極Ｘｎには電極Ｘｎ及びＹｎ間による前サステインによって生成された壁電荷の極性が正となり、電極Ｙｎの壁電荷の極性は負となる。これによって、電極Ｘｎ−１上の負の壁電荷は電極Ｘｎ又はＹｎ−２へ拡散しなくなる。
【００５８】
（第３の放電）
図６（Ａ）〜（Ｃ）は、図３の第３の放電ＤＥ３の条件を説明するための図である。アドレス期間Ｔａ（図２７）にて電極Ｘｎ−１及び電極Ｙｎ−１の表示セルをアドレス選択（点灯選択）し、サステイン期間Ｔｓ（図２７）にて電極Ｘｎ−１に陽極電圧Ｖｓ１、電極Ｙｎ−１に陰極電圧Ｖｓ２を印加することにより電極Ｘｎ−１及びＹｎ−１間で放電する。この時、電極Ｘｎ−２及びＹｎ−２の表示セルがアドレス選択されていれば、電極Ｙｎ−２には負の壁電荷が形成され、電極Ｘｎ及びＹｎの表示セルがアドレス選択されていれば、電極Ｘｎには正の壁電荷が形成されている。偶数行の維持電極Ｘｎ−２及びＸｎには同じ電圧、偶数行のスキャン電極Ｙｎ−２及びＹｎには同じ電圧が印加される。
【００５９】
図６（Ａ）は、電極Ｘｎ−１及びＹｎ−１間で放電する際、隣接電極Ｙｎ−２及びＸｎの電圧を（Ｖｓ１＋Ｖｓ２）／２に設定した図である。この場合、電極Ｘｎ−１及びＹｎ−１上の壁電荷は、隣接電極Ｙｎ−２又はＸｎに拡散せず、誤表示を防止できる。
【００６０】
図６（Ｂ）は、電極Ｘｎ−１及びＹｎ−１間で放電する際、隣接電極Ｙｎ−２及びＸｎの電圧を陰極電圧Ｖｓ２に設定した図である。この場合、電極Ｘｎ−１及びＹｎ−１上の電荷は電極Ｘｎ上に拡散しない。なお、電極Ｘｎ−１上の正の壁電荷は、負の壁電荷に比べて質量が大きいので、電極Ｘｎ−１上の正の壁電荷は電極Ｙｎ−１を介して電極Ｘｎに拡散することはない。したがって、隣接電極Ｘｎは陰極電圧Ｖｓ２以上であればよい。一方、電極Ｙｎ−２上の負の壁電荷は、電極Ｘｎ−１上に拡散してしまう。したがって、隣接電極Ｙｎ−２は陰極電圧Ｖｓ２より大きくなければならない。
【００６１】
図６（Ｃ）は、電極Ｘｎ−１及びＹｎ−１間で放電する際、隣接電極Ｙｎ−２及びＸｎの電圧を陽極電圧Ｖｓ１に設定した図である。この場合、電極Ｙｎ−１上の負の壁電荷は、隣接電極Ｘｎに拡散してしまう。したがって、隣接電極Ｘｎは陽極電圧Ｖｓ１より小さくなければならない。一方、電極Ｙｎ−２上に負の電荷があれば、電極Ｙｎ−１上の負の壁電荷は電極Ｘｎ−１を介して電極Ｙｎ−２上に拡散しない。ただし、電極Ｘｎ−２及びＹｎ−２の表示セルがアドレス選択されずに電極Ｘｎ−２及びＹｎ−２上に壁電荷が存在しない場合、電極Ｙｎ−１上の負の壁電荷は電極Ｘｎ−１を介して電極Ｙｎ−２上に拡散してしまう。これにより、後に電極Ｘｎ−２及びＹｎ−２の表示セルが誤点灯してしまうことがある。したがって、隣接電極Ｙｎ−２は陽極電圧Ｖｓ１より小さくなければならない。
【００６２】
以上の条件をまとめて説明する。電極Ｘｎ−１に陽極電圧Ｖｓ１、電極Ｙｎ−１に陰極電圧Ｖｓ２を印加し、電極Ｘｎ−１及びＹｎ−１間を放電させた時、電極Ｘｎの印加電圧Ｖｘｎは、以下の範囲で設定すればよい。例えば、図３では電圧Ｖｘｎ　　＝（Ｖｓ１＋Ｖｓ２）／２である。
Ｖｓ２　≦　Ｖｘｎ　　＜　Ｖｓ１
【００６３】
また、同様に、電極Ｘｎ−１に陽極電圧Ｖｓ１、電極Ｙｎ−１に陰極電圧Ｖｓ２を印加し、電極Ｘｎ−１及びＹｎ−１間を放電させた時、電極Ｙｎ−２（Ｙｎ）の印加電圧Ｖｙｎは、以下の範囲で設定すればよい。例えば、図３では電圧Ｖｙｎ　　＝（Ｖｓ１＋Ｖｓ２）／２である。
Ｖｓ２　＜　Ｖｙｎ　　＜　Ｖｓ１
【００６４】
この時、電極Ｘｎ及びＹｎ間がサステイン（維持放電）によって点灯する場合、電極Ｘｎには電極Ｘｎ及びＹｎ間による前サステインによって生成された壁電荷の極性が正となり、電極Ｙｎの壁電荷の極性は負となる。これによって、電極Ｙｎ−１上の負の壁電荷は電極Ｘｎ又はＹｎ−２へ拡散しなくなる。
【００６５】
（第４の放電）
図７（Ａ）〜（Ｃ）は、図３の第４の放電ＤＥ４の条件を説明するための図である。アドレス期間Ｔａ（図２７）にて電極Ｘｎ及び電極Ｙｎの表示セルをアドレス選択（点灯選択）し、サステイン期間Ｔｓ（図２７）にて電極Ｘｎに陽極電圧Ｖｓ１、電極Ｙｎに陰極電圧Ｖｓ２を印加することにより電極Ｘｎ及びＹｎ間で放電する。この時、電極Ｘｎ−１及びＹｎ−１の表示セルがアドレス選択されていれば、隣接電極Ｙｎ−１には正の壁電荷が形成され、電極Ｘｎ＋１及びＹｎ＋１の表示セルがアドレス選択されていれば、隣接電極Ｘｎ＋１には負の壁電荷が形成されている。
【００６６】
図７（Ａ）は、電極Ｘｎ及びＹｎ間で放電する際、隣接電極Ｙｎ−１及びＸｎ＋１の電圧を（Ｖｓ１＋Ｖｓ２）／２に設定した図である。この場合、電極Ｘｎ及びＹｎ上の壁電荷は、隣接電極Ｙｎ−１又はＸｎ＋１に拡散せず、誤表示を防止できる。
【００６７】
図７（Ｂ）は、電極Ｘｎ及びＹｎ間で放電する際、隣接電極Ｙｎ−１及びＸｎ＋１の電圧を陰極電圧Ｖｓ２に設定した図である。この場合、電極Ｘｎ及びＹｎ上の電荷は電極Ｘｎ＋１上に拡散しない。なお、電極Ｘｎ上の正の壁電荷は、負の壁電荷に比べて質量が大きいので、電極Ｘｎ上の正の壁電荷は電極Ｙｎを介して電極Ｘｎ＋１に拡散することはない。したがって、隣接電極Ｘｎ＋１は陰極電圧Ｖｓ２以上であればよい。一方、電極Ｘｎ及びＹｎ上の電荷は電極Ｙｎ−１上に拡散しない。なお、電極Ｙｎ−１上の壁電荷の極性は正であるので、電極Ｘｎ及びＹｎ−１間の電荷移動はない。また、電極Ｘｎ−１及びＹｎ−１の表示セルがアドレス選択されずに電極Ｘｎ−１及びＹｎ−１上に壁電荷が存在しない場合でも、電極Ｘｎ上の正の壁電荷は電極Ｙｎ−１上に拡散しない。この時、電極Ｙｎ−１上に負の壁電荷が存在することはない。したがって、隣接電極Ｙｎ−１は陰極電圧Ｖｓ２以上であればよい。
【００６８】
図７（Ｃ）は、電極Ｘｎ及びＹｎ間で放電する際、隣接電極Ｙｎ−１及びＸｎ＋１の電圧を陽極電圧Ｖｓ１に設定した図である。この場合、電極Ｘｎ及びＹｎ上の電荷は隣接電極Ｘｎ＋１上に拡散しない。なお、電極Ｘｎ＋１上の壁電荷の極性は負であるので、電極Ｙｎ及びＸｎ＋１間の電荷移動はない。また、電極Ｘｎ＋１及びＹｎ＋１の表示セルがアドレス選択されずに電極Ｘｎ＋１及びＹｎ＋１上に壁電荷が存在しない場合でも、電極Ｙｎ上の負の壁電荷は電極Ｘｎ＋１上に拡散しない。この時、電極Ｘｎ＋１上に正の壁電荷が存在することはない。したがって、隣接電極Ｘｎ＋１は陽極電圧Ｖｓ１以下であればよい。一方、電極Ｙｎ上の負の壁電荷は、電極Ｘｎを介して電極Ｙｎ−１に拡散してしまう。この際、電極Ｘｎ−１及びＹｎ−１の表示セルのアドレス選択に応じて電極Ｙｎ−１上に正の壁電荷がある場合でもない場合でも、電極Ｙｎ上の負の壁電荷は電極Ｘｎを介して電極Ｙｎ−１上に拡散してしまう。したがって、隣接電極Ｙｎ−１は陽極電圧Ｖｓ１より小さくなければならない。
【００６９】
以上の条件をまとめて説明する。電極Ｘｎに陽極電圧Ｖｓ１、電極Ｙｎに陰極電圧Ｖｓ２を印加し、電極Ｘｎ及びＹｎ間を放電させた時、電極Ｙｎ−１の印加電圧Ｖｙｎ−１は、以下の範囲で設定すればよい。例えば、図３では電圧Ｖｙｎ　　＝Ｖｓ２である。
Ｖｓ２　≦　Ｖｃ　＜　Ｖｓ１
【００７０】
また、電極Ｘｎ＋１の印加電圧Ｖｘｎ＋１は、以下の範囲で設定すればよい。例えば、図３では電圧Ｖｘｎ＋１　　＝Ｖｓ１である。
Ｖｓ２　≦　Ｖｘｎ＋１　　≦　Ｖｓ１
【００７１】
この時、電極Ｘｎ及びＹｎに隣接する電極Ｘｎ−１及びＹｎ−１間がサステイン（維持放電）によって点灯する場合、電極Ｙｎ−１には電極Ｘｎ−１及びＹｎ−１間による前サステインによって生成された壁電荷の極性が正となる。また、同様に、電極Ｘｎ及びＹｎに隣接する電極Ｘｎ＋１及びＹｎ＋１間がサステインによって点灯する場合、電極Ｘｎ＋１には電極Ｘｎ＋１及びＹｎ＋１間による前サステインによって生成された壁電荷の極性が負となる。このような維持放電電圧波形によって、電極Ｙｎ上の負の壁電荷は電極Ｙｎ−１又は電極Ｘｎ＋１へ拡散しなくなる。
【００７２】
（第２の実施形態）
図８は、本発明の第２の実施形態によるプログレッシブ方式のプラズマディスプレイのサステイン期間Ｔｓにおける駆動方法を示すタイミングチャートである。図８の維持放電電圧波形は、図３のものに比べて、基本的な部分は同じである。以下、異なる点を説明する。
【００７３】
第１の放電ＤＥ１は、電極Ｘｎに陰極電圧Ｖｓ２、電極Ｙｎに陽極電圧Ｖｓ１を印加し、電極Ｘｎ及びＹｎ間で放電させる。この際、隣接電極Ｘｎ＋１の印加電圧Ｖｘｎ＋１を、以下の範囲で変化させる。
Ｖｓ２　＜　Ｖｘｎ＋１　　＜　Ｖｓ１
【００７４】
例えば、電圧Ｖｘｎ＋１は、陽極電圧Ｖｓ１から陰極電圧Ｖｓ２に徐々に変化させる。つまり、放電時に、隣接電極の印加電圧は、第１の実施形態で示した条件範囲内ならば変化させてもよいことを示している。なお、本実施形態では、第１の放電ＤＥ１の際、隣接電極Ｙｎ−１はその前から続く陽極電圧Ｖｓ２を維持している。
【００７５】
また、第３の放電ＤＥ３は、電極Ｘｎ＋１に陽極電圧Ｖｓ１、電極Ｙｎ＋１に陰極電圧Ｖｓ２を印加し、電極Ｘｎ＋１及びＹｎ＋１間で放電させる。この際、隣接電極Ｙｎの印加電圧Ｖｙｎを、以下の範囲で変化させる。
Ｖｓ２　＜　Ｖｙｎ　　＜　Ｖｓ１
【００７６】
なお、本実施形態では、第３の放電ＤＥ３の際、隣接電極Ｘｎはその前から続く陰極電圧Ｖｓ２を維持している。
【００７７】
本実施形態によれば、放電時に、隣接電極の印加電圧を第１の実施形態で示した条件範囲内で変化させても、第１の実施形態と同じ効果が得られる。すなわち、電荷の拡散を防止し、誤表示をなくすことができる。
【００７８】
（第３の実施形態）
図９は、本発明の第３の実施形態によるプログレッシブ方式のプラズマディスプレイのサステイン期間Ｔｓにおける駆動方法を示すタイミングチャートである。図９の維持放電電圧波形は、図８のものに比べて、基本的な部分は同じである。以下、異なる点を説明する。
【００７９】
第１の放電ＤＥ１は、電極Ｘｎに陰極電圧Ｖｓ２、電極Ｙｎに陽極電圧Ｖｓ１を印加し、電極Ｘｎ及びＹｎ間で放電させる。この際、隣接電極Ｘｎ＋１の印加電圧Ｖｘｎ＋１を、Ｖｓ２　＜　Ｖｘｎ＋１　　＜　Ｖｓ１の設定範囲をこえて、Ｖｘｎ＋１　　＝　Ｖｓ１としている。ただし、この時、Ｖｘｎ＋１　　＝　Ｖｓ１でいられる時間ＴＥは５００ｎｓ以内である。例えば、時間ＴＥは、１００ｎｓである。時間ＴＥ経過後、電圧Ｖｘｎ＋１は、Ｖｓ２　＜　Ｖｘｎ＋１　　＜　Ｖｓ１の範囲にする。
【００８０】
第３の放電ＤＥ３の場合も同様である。第３の放電ＤＥ３の際、隣接電極Ｙｎの印加電圧Ｖｙｎは、まず時間ＴＥの間、Ｖｙｎ　　＝　Ｖｓ１とし、その後、Ｖｓ２　＜　Ｖｙｎ　　＜　Ｖｓ１の範囲にする。
【００８１】
本実施形態によれば、５００ｎｓ以内ならば上記の隣接電極の電圧がＶｓ１であっても、第１の放電ＤＥ１の期間では電極Ｘｎ上、第３の放電ＤＥ３の期間では電極Ｙｎ＋１上の負電荷はそれぞれ電極Ｘｎ＋１及び電極Ｙｎに拡散しない。以下、図１０（Ａ）〜（Ｃ）及び図１１（Ａ）〜（Ｃ）を参照しながら、その理由を説明する。
【００８２】
図１０（Ａ）〜（Ｃ）は、図９の第１の放電ＤＥ１の際に隣接電極Ｘｎ＋１に陽極電圧Ｖｓ１を印加し続ける場合の問題点を示す。この図１０（Ａ）〜（Ｃ）は、上記の図４（Ｃ）の状態の時間遷移を示す。すなわち、電極Ｘｎには陰極電圧Ｖｓ２、電極Ｙｎには陽極電圧Ｖｓ１、隣接電極Ｘｎ＋１には陽極電圧Ｖｓ１が印加される。
【００８３】
図１０（Ａ）では、電極Ｘｎ及びＹｎ間の電位差により、電極Ｘｎ上の負電荷が電極Ｙｎ上に移動し始める。図１０（Ｂ）では、さらに電極Ｘｎ上の負電荷が電極Ｙｎ上に移動する。図１０（Ｃ）では、さらに電極Ｘｎ上の負電荷が電極Ｙｎ上に移動し、電極Ｙｎ上に負電荷が形成される。電極Ｙｎ上に所定量の負電荷が形成されると、電極Ｙｎ上の負電荷が隣接電極Ｘｎ＋１に拡散する。
【００８４】
図１１（Ａ）〜（Ｃ）は、図９に示す第１の放電ＤＥ１の際の隣接電極Ｘｎ＋１の電圧遷移を示す。図１１（Ａ）において、電極Ｘｎには陰極電圧Ｖｓ２、電極Ｙｎには陽極電圧Ｖｓ１、隣接電極Ｘｎ＋１には陽極電圧Ｘｓ１が印加される。この状態を時間ＴＥ（５００ｎｓ以内）維持する。すると、図１１（Ｂ）のように、電極Ｘｎ上の負電荷が電極Ｙｎ上に移動する。次に、時間ＴＥ後、電極Ｙｎ上に所定量の負電荷が形成される前に、図１１（Ｃ）に示すように、隣接電極Ｘｎ＋１の電圧Ｖｘｎ＋１を、Ｖｓ２　＜　Ｖｘｎ＋１　　＜　Ｖｓ１の範囲にする。例えば、電圧Ｖｘｎ＋１＝（Ｖｓ１＋Ｖｓ２）／２にする。これにより、電極Ｘｎ＋１上に負電荷が拡散されることを防止できる。
【００８５】
（第４の実施形態）
図１２は、本発明の第４の実施形態によるプログレッシブ方式のプラズマディスプレイのサステイン期間Ｔｓにおける駆動方法を示すタイミングチャートである。本実施形態は、第２の実施形態（図８）で示した電圧波形の期間ＴＴを１サイクルとして繰り返す維持放電電圧波形を示す。１周期ＴＴは、第１〜第４の放電ＤＥ１〜ＤＥ４を含む。
【００８６】
（第５の実施形態）
図１３は、本発明の第５の実施形態によるプログレッシブ方式のプラズマディスプレイのサステイン期間Ｔｓにおける駆動方法を示すタイミングチャートである。期間ＴＡは、図１２の期間ＴＴと同じである。それに続く期間ＴＢは、期間ＴＡに比べ、偶数行の維持電極Ｘｎ等の電圧と奇数行の維持電極Ｘｎ−１等の電圧とを入れ替え、偶数行のスキャン電極Ｙｎ等の電圧と奇数行のスキャン電極Ｙｎ−１等の電圧とを入れ替える。期間ＴＡと期間ＴＢの組みの期間ＴＴを１サイクルとして繰り返し、維持放電電圧波形を形成する。この場合も、第４の実施形態と同様に、負電荷の拡散を防止し、誤表示をなくすことができる。
【００８７】
第４の実施形態（図１２）では、すべての期間ＴＴ内において電極Ｘｎ−１及びＹｎ−１間では放電ＤＥ２及びＤＥ３が短い間隔で行われ、電極Ｘｎ及びＹｎ間では放電ＤＥ１及びＤＥ４が長い間隔で行われる。すなわち、電極Ｘｎ−１及びＹｎ−１間の放電間隔と電極Ｘｎ及びＹｎ間の放電間隔とに偏りが生じる。これに対し、第５の実施形態（図１３）では、期間ＴＡ及びＴＢを交互に行うことにより、電極Ｘｎ−１及びＹｎ−１間の放電間隔と電極Ｘｎ及びＹｎ間の放電間隔とに偏りをなくすことができる。
【００８８】
（第６の実施形態）
図１４は、本発明の第６の実施形態によるプログレッシブ方式のプラズマディスプレイのサステイン期間Ｔｓにおける駆動方法を示すタイミングチャートである。第６の実施形態は、第５の実施形態（図１３）と同様に、期間ＴＡ及びＴＢからなる期間ＴＴを１サイクルとする。第５の実施形態では第２の実施形態（図８）の電圧波形を適用したが、第６の実施形態では第３の実施形態（図９）の電圧波形を適用したものである。この場合も、上記の実施形態と同様の効果が得られる。
【００８９】
（第７の実施形態）
図１５は、本発明の第７の実施形態によるプログレッシブ方式のプラズマディスプレイの電極配置を示す。上記の第１〜第６の実施形態では、各表示セルを構成する維持電極とスキャン電極とが交互に設けられる場合を説明した。すなわち、スキャンしてアドレス選択電圧を印加するためのスキャン電極とアドレス選択電圧を印加しない維持電極とが交互に設けられる。第７の実施形態では、２個の隣接するスキャン電極Ｙｎ＋１，Ｙｎ等と２個の隣接する維持電極Ｘｎ，Ｘｎ＋１等とが交互に設けられる。
【００９０】
（第８の実施形態）
図１６は、本発明の第８の実施形態によるＡＬＩＳ方式のプラズマディスプレイの断面図である。この構成は、図２のプログレッシブ方式のプラズマディスプレイの構成と基本的に同じである。ただし、ＡＬＩＳ方式では、すべての電極Ｘｎ−１，Ｙｎ−１，Ｘｎ，Ｙｎ，Ｘｎ＋１，Ｙｎ＋１の間の間隔が同じであり、遮光体２０３が存在しない。電極Ｘｎ−１とＹｎ−１の間、電極ＸｎとＹｎの間及び電極Ｘｎ＋１とＹｎ＋１の間をそれぞれ第１のスリットとし、電極Ｙｎ−１とＸｎの間及び電極ＹｎとＸｎ＋１の間を第２のスリットとする。ＡＬＩＳ方式では、図２７の第１回目のフレームＦＲを奇数フィールドとして第１のスリットでの維持放電を行い、それに続く第２回目のフレームＦＲを偶数フィールドとして第２のスリットでの維持放電を行う。これら奇数フィールドと偶数フィールドとを繰り返し行う。各電極は、その両隣の電極に対して維持放電が可能である。ＡＬＩＳ方式は、プログレッシブ方式に比べ、表示ライン（行）数が２倍になり、高精細化を実現できる。
【００９１】
図１７（Ａ）及び（Ｂ）は、本実施形態によるＡＬＩＳ方式のプラズマディスプレイのサステイン期間Ｔｓにおける駆動方法を示すタイミングチャートであり、第１の実施形態（図３）をＡＬＩＳ方式に適用したものである。図１７（Ａ）は奇数フィールドＯＦの維持放電電圧波形を示し、図１７（Ｂ）は偶数フィールドＥＦの維持放電電圧波形を示す。奇数フィールドＯＦは、第１の実施形態（図３）の電圧波形と同じである。偶数フィールドＥＦは、奇数フィールドＥＦに比べ、奇数行の維持電極Ｘｎ−１，Ｘｎ＋１等の電圧と偶数行の維持電極Ｘｎ，Ｘｎ＋２等の電圧とを入れ替えたものである。
【００９２】
（第９の実施形態）
図１８（Ａ）及び（Ｂ）は、本発明の第９の実施形態によるＡＬＩＳ方式のプラズマディスプレイのサステイン期間Ｔｓにおける駆動方法を示すタイミングチャートであり、第２の実施形態（図８）をＡＬＩＳ方式に適用したものである。図１８（Ａ）は奇数フィールドＯＦの維持放電電圧波形を示し、図１８（Ｂ）は偶数フィールドＥＦの維持放電電圧波形を示す。奇数フィールドＯＦは、第２の実施形態（図８）の電圧波形と同じである。偶数フィールドＥＦは、奇数フィールドＥＦに比べ、奇数行の維持電極Ｘｎ−１，Ｘｎ＋１等の電圧と偶数行の維持電極Ｘｎ，Ｘｎ＋２等の電圧とを入れ替えたものである。
【００９３】
（第１０の実施形態）
図１９（Ａ）及び（Ｂ）は、本発明の第１０の実施形態によるＡＬＩＳ方式のプラズマディスプレイのサステイン期間Ｔｓにおける駆動方法を示すタイミングチャートであり、第３の実施形態（図９）をＡＬＩＳ方式に適用したものである。図１９（Ａ）は奇数フィールドＯＦの維持放電電圧波形を示し、図１９（Ｂ）は偶数フィールドＥＦの維持放電電圧波形を示す。奇数フィールドＯＦは、第３の実施形態（図９）の電圧波形と同じである。偶数フィールドＥＦは、奇数フィールドＥＦに比べ、奇数行の維持電極Ｘｎ−１，Ｘｎ＋１等の電圧と偶数行の維持電極Ｘｎ，Ｘｎ＋２等の電圧とを入れ替えたものである。
【００９４】
（第１１の実施形態）
図２０（Ａ）及び（Ｂ）は、本発明の第１１の実施形態によるＡＬＩＳ方式のプラズマディスプレイのサステイン期間Ｔｓにおける駆動方法を示すタイミングチャートであり、第４の実施形態（図１２）をＡＬＩＳ方式に適用したものである。図２０（Ａ）は奇数フィールドＯＦの維持放電電圧波形を示し、図２０（Ｂ）は偶数フィールドＥＦの維持放電電圧波形を示す。奇数フィールドＯＦは、第４の実施形態（図１２）の電圧波形と同じである。偶数フィールドＥＦは、奇数フィールドＥＦに比べ、奇数行の維持電極Ｘｎ−１等の電圧と偶数行の維持電極Ｘｎ等の電圧とを入れ替えたものである。
【００９５】
（第１２の実施形態）
図２１（Ａ）及び（Ｂ）は、本発明の第１２の実施形態によるＡＬＩＳ方式のプラズマディスプレイのサステイン期間Ｔｓにおける駆動方法を示すタイミングチャートであり、第５の実施形態（図１３）をＡＬＩＳ方式に適用したものである。図２１（Ａ）は奇数フィールドＯＦの維持放電電圧波形を示し、図２１（Ｂ）は偶数フィールドＥＦの維持放電電圧波形を示す。奇数フィールドＯＦは、第５の実施形態（図１３）の電圧波形と同じである。偶数フィールドＥＦは、奇数フィールドＥＦに比べ、奇数行の維持電極Ｘｎ−１等の電圧と偶数行の維持電極Ｘｎ等の電圧とを入れ替えたものである。
【００９６】
（第１３の実施形態）
図２２（Ａ）及び（Ｂ）は、本発明の第１３の実施形態によるＡＬＩＳ方式のプラズマディスプレイのサステイン期間Ｔｓにおける駆動方法を示すタイミングチャートであり、第６の実施形態（図１４）をＡＬＩＳ方式に適用したものである。図２２（Ａ）は奇数フィールドＯＦの維持放電電圧波形を示し、図２２（Ｂ）は偶数フィールドＥＦの維持放電電圧波形を示す。奇数フィールドＯＦは、第６の実施形態（図１４）の電圧波形と同じである。偶数フィールドＥＦは、奇数フィールドＥＦに比べ、奇数行の維持電極Ｘｎ−１等の電圧と偶数行の維持電極Ｘｎ等の電圧とを入れ替えたものである。
【００９７】
ＡＬＩＳ方式では、図１６に示すように、第１のスリット及び第２のスリットの間隔が同じであるので、誤表示が生じやすい。上記の第８〜第１３の実施形態によれば、ＡＬＩＳ方式でも、各表示セルは、隣接電極の悪影響を受けずに、安定した維持放電を行うことができる。
【００９８】
なお、上記の第８〜第１３の実施形態では、奇数フィールド及び偶数フィールド間で、奇数行の維持電極の電圧と偶数行の維持電極の電圧とを入れ替える場合を説明したが、維持電極の電圧の代わりに、スキャン電極の電圧を入れ替えてもよい。
【００９９】
（第１４の実施形態）
図２３（Ａ）は、本発明の第１４の実施形態による維持電極サステイン回路９１０及びスキャン電極サステイン回路９６０の構成を示す。維持電極サステイン回路９１０は、図１の維持電極サステイン回路１０３ａ及び１０３ｂに相当し、維持電極９５１に接続される。スキャン電極サステイン回路９６０は、図１のスキャン電極サステイン回路１０４ａ及び１０４ｂに相当し、スキャン電極９５２に接続される。コンデンサ９５０は、維持電極９５１とスキャン電極９５２とその間の誘電体により構成される。維持電極サステイン回路９１０は、ＴＥＲＥＳ（Ｔｅｃｈｎｏｌｏｇｙ　ｏｆ　Ｒｅｃｉｐｒｏｃａｌ　Ｓｕｓｔａｉｎｅｒ）回路９２０及び電力回収回路９３０を有する。
【０１００】
まず、ＴＥＲＥＳ回路９２０の構成を説明する。ダイオード９２２は、アノードがスイッチ９２１を介して第１の電位（例えばＶｓ１＝Ｖｓ／２［Ｖ］）に接続され、カソードがスイッチ９２３を介して上記第１の電位より低い第２の電位（例えばグランド）に接続される。コンデンサ９２４は、一端がダイオード９２２のカソードが接続され、他端がスイッチ９２５を介して第２の電位に接続される。ダイオード９３６は、アノードがスイッチ９３５を介してダイオード９２２のカソードに接続され、カソードが維持電極９５１に接続される。ダイオード９３７は、アノードが維持電極９５１に接続され、カソードがスイッチ９３８を介してコンデンサ９２４の上記他端に接続される。
【０１０１】
次に、電力回収回路９３０がない場合のＴＥＲＥＳ回路９２０の動作を説明する。ここでは、図２４（Ａ）に示す維持放電電圧を維持電極Ｘｎに印加する例を説明する。上記の陽極電圧Ｖｓ１は例えばＶｓ／２［Ｖ］、陰極電圧Ｖｓ２は例えば−Ｖｓ／２［Ｖ］である。時刻ｔ１では、スイッチ９２１，９２５，９３５を閉じ、スイッチ９２３，９３８を開く。すると、Ｖｓ／２の電位がスイッチ９２１，９３５を介して維持電極９５１に印加される。また、コンデンサ９２４は、図の上側の電極（以下、上端という）がＶｓ／２、図の下側の電極（以下、下端という）がグランドに接続され、充電される。この時、コンデンサ９２４の電荷は、スイッチ９３５及びダイオード９３６を介してコンデンサ９５０に放電される。
【０１０２】
次に、時刻ｔ２では、スイッチ９２５，９３８を閉じ、スイッチ９２３，９３５を開く。すると、グランド電位は、スイッチ９２５，９３８を介して維持電極９５１に印加される。
【０１０３】
次に、時刻ｔ３では、スイッチ９２３，９３８を閉じ、スイッチ９２１，９２５，９３５を開く。すると、コンデンサ９２４は、上端がグランドになり、下端が−Ｖｓ／２になる。その−Ｖｓ／２の陰極電位は、スイッチ９３８を介して維持電極９５１に印加される。
【０１０４】
次に、時刻ｔ４では、スイッチ９２３，９３５を閉じ、スイッチ９２１，９２５，９３８を開く。すると、グランド電位は、スイッチ９２３，９３５を介して維持電極９５１に印加される。
【０１０５】
以上のように、ＴＥＲＥＳ回路９２０を用いることにより、簡単な回路構成で陽極電位Ｖｓ１、陰極電位Ｖｓ２及び中間電位（Ｖｓ１＋Ｖｓ２）／２を生成することができる。
【０１０６】
次に、電力回収回路９３０の構成を説明する。コンデンサ９３１は、下端がコンデンサ９２４の下端に接続される。ダイオード９３３は、アノードがスイッチ９３２を介してコンデンサ９３１の上端に接続され、カソードがコイル９３４を介してダイオード９３６のアノードに接続される。ダイオード９４０は、アノードがコイル９３９を介してダイオード９３７のカソードが接続され、カソードがスイッチ９４１を介してコンデンサ９３１の上端に接続される。
【０１０７】
次に、電力回収回路９３０の動作を、図２４（Ｂ）を参照しながら説明する。まず、時刻ｔ１において、スイッチ９２１，９２５，９３５を閉じ、その他のスイッチを開く。なお、ここでスイッチ９３５を閉じるが、時刻ｔ１の前までは、スイッチ９３２が閉じているので、時刻ｔ１〜ｔ２の間も、スイッチ９３２を引き続き閉じたままにしてもよい。すると、維持電極９５１には、Ｖｓ／２の電位がスイッチ９２１，９３５を介して電源及びコンデンサ９２４から印加される。コンデンサ９２４は、電源からＶｓ／２の電位を充電すると共に、維持電極９５１のコンデンサ９５０に放電する。
【０１０８】
次に、時刻ｔ２において、スイッチ９３５を開き、スイッチ９４１を閉じる。すると、維持電極９５１上の電荷は、コイル９３９を介してコンデンサ９３１の上端に供給される。コンデンサ９３１の下端は、スイッチ９２５を介して第２の電位（ＧＮＤ）に接続される。コイル９３９及びコンデンサ（パネル容量）９５０のＬＣ共振により、コンデンサ９３１が充電されて電力が回収される。これにより、維持電極９５１は、Ｖｓ／４付近まで電位が下がる。また、ダイオード９４０及び９３７により、共振が除去され、コイル９３９によりＶｓ／４付近の電位に安定させることができる。
【０１０９】
次に、時刻ｔ３において、スイッチ９３８を閉じる。すると、維持電極９５１の電位はグランドになる。
【０１１０】
次に、時刻ｔ４において、スイッチ９４１，９３８を開き、その後、スイッチ９２１，９２５を開き、スイッチ９２３を閉じる。その次に、スイッチ９４１を閉じる。維持電極９５１は、ダイオード９３７、コイル９３９、ダイオード９４０、スイッチ９４１、コンデンサ９３１、コンデンサ９２４、及びスイッチ９２３を介して、グランドに接続される。すると、ＬＣ共振により、維持電極９５１は−Ｖｓ／４付近まで電位が下がる。
【０１１１】
次に、時刻ｔ５において、スイッチ９３８を閉じる。維持電極９５１は、−Ｖｓ／２に電位が下がる。
【０１１２】
次に、時刻ｔ６において、スイッチ９４１，９３８を開き、スイッチ９３２を閉じる。ＬＣ共振により、維持電極９５１は、−Ｖｓ／４付近まで電位が上がる。
【０１１３】
次に、時刻ｔ７において、スイッチ９３５を閉じると、グランドまで電位が上がる。その後、スイッチ９３２，９３５を開き、スイッチ９２３を開き、スイッチ９２１，９２５を閉じ、スイッチ９３８を閉じる。
【０１１４】
次に、時刻ｔ８において、スイッチ９３８を開き、スイッチ９３２を閉じる。維持電極９５１は、Ｖｓ／４付近まで電位が上がる。以後、上記の時刻ｔ１〜ｔ８のサイクルを繰り返すことができる。
【０１１５】
スキャン電極サステイン回路９６０の構成も、維持電極サステイン回路９１０と同様である。電力回収回路９３０を用いることにより、エネルギー効率を向上させ、消費電力を下げることができる。
【０１１６】
（第１５の実施形態）
図２３（Ｂ）は、本発明の第１５の実施形態による維持電極サステイン回路９１０ａの構成を示す。この維持電極サステイン回路９１０ａが図２３（Ａ）の回路９１０と異なる点を説明する。この維持電極サステイン回路９１０ａは、図２３（Ａ）の回路のスイッチ９２１，９２３，９２５、ダイオード９２２及びコンデンサ９２４を削除し、スイッチ９３５をダイオード９３６のアノードとＶｓ／２の電源との間に接続し、スイッチ９３８をダイオード９３７のカソードと−Ｖｓ／２の電源との間に接続する。
【０１１７】
次に、維持電極サステイン回路９１０ａの動作を、図２４（Ｃ）を参照しながら説明する。まず、時刻ｔ１において、スイッチ９３５を閉じ、その他のスイッチを開く。なお、ここでスイッチ９３５を閉じるが、時刻ｔ１の前までは、スイッチ９３２が閉じているので、時刻ｔ１〜ｔ２の間も、スイッチ９３２を引き続き閉じたままにしてもよい。維持電極９５１は、Ｖｓ／２の電源に接続され、Ｖｓ／２の電位を維持する。
【０１１８】
次に、時刻ｔ２において、スイッチ９３５を開き、スイッチ９４１を閉じる。維持電極９５１は、スイッチ９４１を介してコンデンサ９３１に接続され、ＬＣ共振により−Ｖｓ／４付近まで電位が下がる。
【０１１９】
次に、時刻ｔ３において、スイッチ９３８を閉じる。維持電極９５１は、−Ｖｓ／２の電源に接続され、−Ｖｓ／２の電位を維持する。
【０１２０】
次に、時刻ｔ４において、スイッチ９４１，９３８を開き、スイッチ９３２を閉じる。維持電極９５１は、スイッチ９３２を介してコンデンサ９３１に接続され、ＬＣ共振によりＶｓ／４付近まで電位が上がる。以後、上記の時刻ｔ１〜ｔ４のサイクルを繰り返すことができる。
【０１２１】
以上のように、第１及び第２の表示電極の間で維持放電を行わせる際に、その維持放電を行う第１及び第２の電極に隣接する第３の電極の印加電圧及び第３の電極に形成される壁電荷の極性を制御することにより、第１及び第２の電極上の電荷が隣接電極へ拡散することを防ぎ、誤表示をなくすことができる。
【０１２２】
プラズマディスプレイの高精細化が進むにつれ、電極間距離が短くなり、隣接表示セル間での干渉が発生しやすくなる。上記の実施形態では、これら干渉を抑えることができ、動作電圧マージンの拡大による安定動作が可能となる。
【０１２３】
上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【０１２４】
本発明の実施形態は、例えば以下のように種々の適用が可能である。
（付記１）第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第１の電極に対して前記第２の電極とは逆側に隣接する第３の電極の印加電圧Ｖｃの範囲は、
Ｖｓ２　≦　Ｖｃ　＜　Ｖｓ１　であり、
かつ、この時、前記第３の電極を含む表示セルが点灯選択された場合に前記第３の電極に形成される壁電荷の極性が正となる維持放電電圧を生成する維持放電回路を有するプラズマディスプレイの駆動回路。
（付記２）第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第２の電極に対して前記第１の電極とは逆側に隣接する第３の電極の印加電圧Ｖｄの範囲は、
Ｖｓ２　≦　Ｖｄ　＜　Ｖｓ１　であり、
かつ、この時、前記第３の電極を含む表示セルが点灯選択された場合に前記第３の電極に形成される壁電荷の極性が正となる維持放電電圧を生成する維持放電回路を有するプラズマディスプレイの駆動回路。
（付記３）第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第１の電極に対して前記第２の電極とは逆側に隣接する第３の電極の印加電圧Ｖｃの範囲は、
Ｖｓ２　＜　Ｖｃ　＜　Ｖｓ１　であり、
かつ、この時、前記第３の電極を含む表示セルが点灯選択された場合に前記第３の電極に形成される壁電荷の極性が負となる維持放電電圧を生成する維持放電回路を有するプラズマディスプレイの駆動回路。
（付記４）第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第１の電極に対して前記第２の電極とは逆側に隣接する第３の電極の印加電圧Ｖｃの範囲は、
最初の５００ｎｓ以内がＶｃ　＝　Ｖｓ１、
その後がＶｓ２　＜　Ｖｃ　＜　Ｖｓ１　であり、
かつ、この時、前記第３の電極を含む表示セルが点灯選択された場合に前記第３の電極に形成される壁電荷の極性が負となる維持放電電圧を生成する維持放電回路を有するプラズマディスプレイの駆動回路。
（付記５）第１の電極及び第２の電極を含む表示セルが点灯選択され、前記第１の電極に第１の電圧Ｖｓ１、前記第１の電極に隣接する前記第２の電極に第２の電圧Ｖｓ２を印加することにより前記第１及び第２の電極間で維持放電させるためのプラズマディスプレイパネルの駆動回路であって、
前記第１及び第２の電極間の維持放電時に、前記第２の電極に対して前記第１の電極とは逆側に隣接する第３の電極の印加電圧Ｖｄの範囲は、
Ｖｓ２　≦　Ｖｄ　≦　Ｖｓ１　であり、
かつ、この時、前記第３の電極を含む表示セルが点灯選択された場合に前記第３の電極に形成される壁電荷の極性が負となる維持放電電圧を生成する維持放電回路を有するプラズマディスプレイの駆動回路。
（付記６）第１〜第６の電極が順に隣接するプラズマディスプレイの駆動回路であって、
前記第３の電極に第２の電圧Ｖｓ２、前記第４の電極に第１の電圧Ｖｓ１を印加することにより前記第３及び第４の電極間で維持放電させる際に、
前記第２の電極の印加電圧Ｖ２の範囲は、Ｖｓ２　≦　Ｖ２　＜　Ｖｓ１であり、かつ、この時、前記第１及び第２の電極を含む表示セルが点灯選択された場合に前記第２の電極に形成される壁電荷の極性が正となり、
前記第５の電極の印加電圧Ｖ５の範囲は、Ｖｓ２　＜　Ｖ５　＜　Ｖｓ１であり、かつ、この時、前記第５及び第６の電極を含む表示セルが点灯選択された場合に前記第５の電極に形成される壁電荷の極性が負となり、
次に、前記第１の電極に第２の電圧Ｖｓ２、前記第２の電極に第１の電圧Ｖｓ１を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第２の電圧Ｖｓ２、前記第６の電極に第１の電圧Ｖｓ１を印加することにより前記第５及び第６の電極間で維持放電させる際に、前記第４の電極の印加電圧Ｖ４の範囲は、Ｖｓ２　≦　Ｖ４　≦　Ｖｓ１であり、
次に、前記第１の電極に第１の電圧Ｖｓ１、前記第２の電極に第２の電圧Ｖｓ２を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第１の電圧Ｖｓ１、前記第６の電極に第２の電圧Ｖｓ２を印加することにより前記第５及び第６の電極間で維持放電させる際に、前記第４の電極の印加電圧Ｖ４の範囲は、Ｖｓ２　＜　Ｖ４　＜　Ｖｓ１であり、
次に、前記第３の電極に第１の電圧Ｖｓ１、前記第４の電極に第２の電圧Ｖｓ２を印加することにより前記第３及び第４の電極間で維持放電させる際に、前記第２の電極の印加電圧Ｖ２の範囲は、Ｖｓ２　≦　Ｖ２　＜　Ｖｓ１であり、前記第５の電極の印加電圧Ｖ５の範囲は、Ｖｓ２　≦　Ｖ５　≦　Ｖｓ１であるような維持放電電圧を生成する維持放電回路を有するプラズマディスプレイの駆動回路。
（付記７）第１〜第６の電極が順に隣接するプラズマディスプレイの駆動回路であって、
前記第３の電極に第２の電圧Ｖｓ２、前記第４の電極に第１の電圧Ｖｓ１を印加することにより前記第３及び第４の電極間で維持放電させる際に、
前記第２の電極の印加電圧Ｖ２の範囲は、Ｖｓ２　≦　Ｖ２　＜　Ｖｓ１であり、かつ、この時、前記第１及び第２の電極を含む表示セルが点灯選択された場合に前記第２の電極に形成される壁電荷の極性が正となり、
前記第５の電極の印加電圧Ｖ５の範囲は、最初の５００ｎｓ以内がＶ５　＝　Ｖｓ１、その後がＶｓ２　＜　Ｖ５　＜　Ｖｓ１　であり、かつ、この時、前記第５及び第６の電極を含む表示セルが点灯選択された場合に前記第５の電極に形成される壁電荷の極性が負となり、
次に、前記第１の電極に第２の電圧Ｖｓ２、前記第２の電極に第１の電圧Ｖｓ１を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第２の電圧Ｖｓ２、前記第６の電極に第１の電圧Ｖｓ１を印加することにより前記第５及び第６の電極間で維持放電させる際に、前記第４の電極の印加電圧Ｖ４の範囲は、Ｖｓ２　≦　Ｖ４　≦　Ｖｓ１であり、
次に、前記第１の電極に第１の電圧Ｖｓ１、前記第２の電極に第２の電圧Ｖｓ２を印加することにより前記第１及び第２の電極間で維持放電させる際に、前記第３の電極の印加電圧Ｖ３の範囲は、Ｖｓ２　≦　Ｖ３　＜　Ｖｓ１であり、前記第５の電極に第１の電圧Ｖｓ１、前記第６の電極に第２の電圧Ｖｓ２を印加することにより前記第５及び第６の電極間で維持放電させる際に、前記第４の電極の印加電圧Ｖ４の範囲は、最初の５００ｎｓ以内がＶ４　＝　Ｖｓ１、その後がＶｓ２　＜　Ｖ４　＜　Ｖｓ１　であり、
次に、前記第３の電極に第１の電圧Ｖｓ１、前記第４の電極に第２の電圧Ｖｓ２を印加することにより前記第３及び第４の電極間で維持放電させる際に、前記第２の電極の印加電圧Ｖ２の範囲は、Ｖｓ２　≦　Ｖ２　＜　Ｖｓ１であり、前記第５の電極の印加電圧Ｖ５の範囲は、Ｖｓ２　≦　Ｖ５　≦　Ｖｓ１であるような維持放電電圧を生成する維持放電回路を有するプラズマディスプレイの駆動回路。
（付記８）前記維持放電回路は、前記印加電圧を１サイクルとして繰り返す維持放電電圧を生成する付記６記載のプラズマディスプレイの駆動回路。
（付記９）前記維持放電回路は、前記印加電圧を１サイクルとして繰り返す維持放電電圧を生成する付記７記載のプラズマディスプレイの駆動回路。
（付記１０）前記維持放電回路は、前記電圧印加の後、前記第３及び第４の電極の組みの印加電圧と前記第１及び第２の電極の組みの印加電圧を入れ替える電圧を印加し、前記第１及び第２の電極の組みの印加電圧と前記第５及び第６の電極の印加電圧とを同じにし、これを１サイクルとして繰り返す維持放電電圧を生成する付記６記載のプラズマディスプレイの駆動回路。
（付記１１）前記維持放電回路は、前記電圧印加の後、前記第３及び第４の電極の組みの印加電圧と前記第１及び第２の電極の組みの印加電圧を入れ替える電圧を印加し、前記第１及び第２の電極の組みの印加電圧と前記第５及び第６の電極の印加電圧とを同じにし、これを１サイクルとして繰り返す維持放電電圧を生成する付記７記載のプラズマディスプレイの駆動回路。
（付記１２）第１〜第４の電極が順に隣接するプラズマディスプレイの駆動回路であって、前記第２の電極に第１の電圧Ｖｓ１、前記第３の電極に第２の電圧Ｖｓ２を印加することにより前記第２及び第３の電極間で維持放電させる際に、前記第１の電極の印加電圧Ｖ１の範囲は、Ｖｓ２　≦　Ｖ１　＜　Ｖｓ１であり、かつ、この時、前記第１の電極を含む表示セルが点灯選択された場合に前記第１の電極に形成される壁電荷の極性が正となり、
前記第４の電極の印加電圧Ｖ４の範囲は、Ｖｓ２　≦　Ｖ４　≦　Ｖｓ１であり、かつ、この時、前記第４の電極を含む表示セルが点灯選択された場合に前記第４の電極に形成される壁電荷の極性が負となる維持放電電圧を生成する維持放電回路を有するプラズマディスプレイの駆動回路。
（付記１３）第１〜第４の電極が順に隣接するプラズマディスプレイの駆動回路であって、前記第２の電極に第１の電圧Ｖｓ１、前記第３の電極に第２の電圧Ｖｓ２を印加することにより前記第２及び第３の電極間で維持放電させる際に、前記第４の電極の印加電圧Ｖ４の範囲は、Ｖｓ２　≦　Ｖ４　＜　Ｖｓ１であり、かつ、この時、前記第４の電極を含む表示セルが点灯選択された場合に前記第４の電極に形成される壁電荷の極性が正となり、
前記第１の電極の印加電圧Ｖ１の範囲は、Ｖｓ２　＜　Ｖ１　＜　Ｖｓ１であり、かつ、この時、前記第１の電極を含む表示セルが点灯選択された場合に前記第１の電極に形成される壁電荷の極性が負となる維持放電電圧を生成する維持放電回路を有するプラズマディスプレイの駆動回路。
（付記１４）第１〜第４の電極が順に隣接するプラズマディスプレイの駆動回路であって、前記第２の電極に第１の電圧Ｖｓ１、前記第３の電極に第２の電圧Ｖｓ２を印加することにより前記第２及び第３の電極間で維持放電させる際に、前記第４の電極の印加電圧Ｖ４の範囲は、Ｖｓ２　≦　Ｖ４　＜　Ｖｓ１であり、かつ、この時、前記第４の電極を含む表示セルが点灯選択された場合に前記第４の電極に形成される壁電荷の極性が正となり、
前記第１の電極の印加電圧Ｖ１の範囲は、最初の５００ｎｓ以内がＶ１　＝　Ｖｓ１、その後がＶｓ２　＜　Ｖ１　＜　Ｖｓ１　であり、かつ、この時、前記第１の電極を含む表示セルが点灯選択された場合に前記第１の電極に形成される壁電荷の極性が負となる維持放電電圧を生成する維持放電回路を有するプラズマディスプレイの駆動回路。
（付記１５）前記プラズマディスプレイには、前記第１〜第３の電極を含む複数の放電電極が並んで設けられ、
前記複数の放電電極は、２個の放電電極間で維持放電し、その一方がスキャンして点灯選択電圧を印加するための第１の放電電極であり、その他方が点灯選択電圧を印加しない第２の放電電極であり、前記第１の放電電極と前記第２の放電電極とが交互に設けられる付記１記載のプラズマディスプレイの駆動回路。
（付記１６）前記プラズマディスプレイには、前記第１〜第３の電極を含む複数の放電電極が並んで設けられ、
前記複数の放電電極は、２個の放電電極間で維持放電し、その一方がスキャンして点灯選択電圧を印加するための第１の放電電極であり、その他方が点灯選択電圧を印加しない第２の放電電極であり、２個の隣接する第１の放電電極と２個の隣接する第２の放電電極とが交互に設けられる付記１記載のプラズマディスプレイの駆動回路。
（付記１７）前記プラズマディスプレイには、前記第１〜第３の電極を含む複数の放電電極が並んで設けられ、前記放電電極はその一方の隣の放電電極に対してのみ維持放電が可能である付記１記載のプラズマディスプレイの駆動回路。
（付記１８）前記プラズマディスプレイには、前記第１〜第３の電極を含む複数の放電電極が並んで設けられ、前記放電電極はその両隣の放電電極に対して維持放電が可能である付記１記載のプラズマディスプレイの駆動回路。
（付記１９）前記維持放電回路は、
アノードにスイッチを介して第１の電位に接続され、カソードにスイッチを介して前記第１の電位より低い第２の電位に接続される第１のダイオードと、
一端に前記第１のダイオードのカソードが接続され、他端にスイッチを介して前記第２の電位に接続される第１のコンデンサと、
アノードにスイッチを介して前記第１のダイオードのカソードが接続され、カソードに前記第１又は第２の電極が接続される第２のダイオードと、
アノードに前記第１又は第２の電極が接続され、カソードにスイッチを介して前記第１のコンデンサの前記他端に接続される第３のダイオードと
を含む付記１記載のプラズマディスプレイの駆動回路。
（付記２０）維持放電を行うための複数の電極対が互いに並列に配置されると共に、該電極対と交差するように複数のアドレス電極が配置され、該電極対と該アドレス電極との交点により表示セルが規定されてなるプラズマディスプレイパネルであって、
各表示セルの点灯又は非点灯を選択するためのアドレス期間と、該アドレス期間に引き続いて、各表示セルにおける表示のための放電発光を行うための維持放電期間とを有し、
該維持放電期間においては、
該維持放電期間において表示を行う複数の前記電極対のうち、偶数番目の電極対と奇数番目の電極対の放電発光とを、異なるタイミングにて行うプラズマディスプレイパネル。
（付記２１）前記維持放電期間において、偶数番目の電極対と奇数番目の電極対のうちの一方の放電発光を先行させ、次いで他方の放電発光を実施するものであり、
前記一方の電極対における印加電圧は、該一方の電極対における放電発光の開始から該他方の電極対における放電発光の終了まで維持される付記２０記載のプラズマディスプレイパネル。
（付記２２）前記一方の電極対における放電発光を実施する際において、
一方の電極対を構成する電極のうち、一方の電極には第１の電圧Ｖｓ１が、他方の電極には第２の電圧Ｖｓ２が印加されるものであり（ただしＶｓ１＞Ｖｓ２）、
前記他方の電極対を構成する電極のうち、前記一方の電極に隣接する電極の印加電圧Ｖｃの範囲は、Ｖｓ２　＜　Ｖｃ　＜　Ｖｓ１であり、前記他方の電極に隣接する電極の印加電圧Ｖｄは、Ｖｓ２　≦　Ｖｄ　＜　Ｖｓ１である付記２１記載のプラズマディスプレイパネル。
【０１２５】
【発明の効果】
以上説明したように本発明によれば、第１及び第２の表示電極の間で維持放電を行わせる際に、その維持放電を行う第１及び第２の電極に隣接する第３の電極の印加電圧及び第３の電極に形成される壁電荷の極性を制御することにより、第１及び第２の電極上の電荷が隣接電極へ拡散することを防ぎ、誤表示をなくすことができる。
【図面の簡単な説明】
【図１】本発明の第１の実施形態によるプラズマディスプレイ装置の構成図である。
【図２】プログレッシブ方式のプラズマディスプレイの断面図である。
【図３】第１の実施形態によるプログレッシブ方式のプラズマディスプレイのサステイン期間における駆動方法を示すタイミングチャートである。
【図４】図４（Ａ）〜（Ｃ）は第１の放電の際の各電極の印加電圧を示す図である。
【図５】図５（Ａ）〜（Ｃ）は第２の放電の際の各電極の印加電圧を示す図である。
【図６】図６（Ａ）〜（Ｃ）は第３の放電の際の各電極の印加電圧を示す図である。
【図７】図７（Ａ）〜（Ｃ）は第４の放電の際の各電極の印加電圧を示す図である。
【図８】本発明の第２の実施形態によるプログレッシブ方式のプラズマディスプレイのサステイン期間における駆動方法を示すタイミングチャートである。
【図９】本発明の第３の実施形態によるプログレッシブ方式のプラズマディスプレイのサステイン期間における駆動方法を示すタイミングチャートである。
【図１０】図１０（Ａ）〜（Ｃ）は図９の第１の放電の際の各電極の印加電圧の問題を示す図である。
【図１１】図１１（Ａ）〜（Ｃ）は図９の第１の放電の際の各電極の印加電圧を示す図である。
【図１２】本発明の第４の実施形態によるプログレッシブ方式のプラズマディスプレイのサステイン期間における駆動方法を示すタイミングチャートである。
【図１３】本発明の第５の実施形態によるプログレッシブ方式のプラズマディスプレイのサステイン期間における駆動方法を示すタイミングチャートである。
【図１４】本発明の第６の実施形態によるプログレッシブ方式のプラズマディスプレイのサステイン期間における駆動方法を示すタイミングチャートである。
【図１５】本発明の第７の実施形態によるプログレッシブ方式のプラズマディスプレイの電極配置を示す図である。
【図１６】本発明の第８の実施形態によるＡＬＩＳ方式のプラズマディスプレイの断面図である。
【図１７】第８の実施形態によるＡＬＩＳ方式のプラズマディスプレイのサステイン期間における駆動方法を示すタイミングチャートである。
【図１８】本発明の第９の実施形態によるＡＬＩＳ方式のプラズマディスプレイのサステイン期間における駆動方法を示すタイミングチャートである。
【図１９】本発明の第１０の実施形態によるＡＬＩＳ方式のプラズマディスプレイのサステイン期間における駆動方法を示すタイミングチャートである。
【図２０】本発明の第１１の実施形態によるＡＬＩＳ方式のプラズマディスプレイのサステイン期間における駆動方法を示すタイミングチャートである。
【図２１】本発明の第１２の実施形態によるＡＬＩＳ方式のプラズマディスプレイのサステイン期間における駆動方法を示すタイミングチャートである。
【図２２】本発明の第１３の実施形態によるＡＬＩＳ方式のプラズマディスプレイのサステイン期間における駆動方法を示すタイミングチャートである。
【図２３】図２３（Ａ）及び（Ｂ）は本発明の第１４及び第１５の実施形態による維持電極サステイン回路及びスキャン電極サステイン回路の回路図である。
【図２４】図２４（Ａ）〜（Ｃ）は維持放電電圧波形を示す図である。
【図２５】プラズマディスプレイ装置の構成図である。
【図２６】図２６（Ａ）〜（Ｃ）はプラズマディスプレイの表示セルの断面図である。
【図２７】画像のフレーム構成図である。
【図２８】従来技術によるプログレッシブ方式のプラズマディスプレイのサステイン期間の波形を示す図である。
【図２９】従来技術によるＡＬＩＳ方式のプラズマディスプレイのサステイン期間の波形を示す図である。
【符号の説明】
１０１　制御回路部
１０２　アドレスドライバ
１０３ａ　第１の維持電極サステイン回路
１０３ｂ　第２の維持電極サステイン回路
１０４ａ　第１のスキャン電極サステイン回路
１０４ｂ　第２のスキャン電極サステイン回路
１０５ａ　第１のスキャンドライバ
１０５ｂ　第１のスキャンドライバ
１０６　リブ
１０７　表示領域
２０１　ガラス基板
２０２　誘電体層
２０３　遮光体
２０４　放電空間
２０５　誘電体層
２０６　アドレス電極
２０７　ガラス基板
２０８　保護膜
１１０１　制御回路部
１１０２　アドレスドライバ
１１０３　維持電極サステイン回路
１１０４　スキャン電極サステイン回路
１１０５　スキャンドライバ
１１０６　リブ
１１０７　表示領域
１２１１　前面ガラス基板
１２１２　誘電体層
１２１３　Ｍｇｏ保護膜
１２１４　背面ガラス基板
１２１５　誘電体層
１２１６　リブ
１２１７　放電空間
１２２１　光
Ｔｒ　リセット期間
Ｔａ　アドレス期間
Ｔｓ　サステイン期間
【図１】
2004054038.tif 000003
【図２】
2004054038.tif 000004
【図３】
2004054038.tif 000005
【図４】
2004054038.tif 000006
【図５】
2004054038.tif 000007
【図６】
2004054038.tif 000008
【図７】
2004054038.tif 000009
【図８】
2004054038.tif 000010
【図９】
2004054038.tif 000011
【図１０】
2004054038.tif 000012
【図１１】
2004054038.tif 000013
【図１２】
2004054038.tif 000014
【図１３】
2004054038.tif 000015
【図１４】
2004054038.tif 000016
【図１５】
2004054038.tif 000017
【図１６】
2004054038.tif 000018
【図１７】
2004054038.tif 000019
【図１８】
2004054038.tif 000020
【図１９】
2004054038.tif 000021
【図２０】
2004054038.tif 000022
【図２１】
2004054038.tif 000023
【図２２】
2004054038.tif 000024
【図２３】
2004054038.tif 000025
【図２４】
2004054038.tif 000026
【図２５】
2004054038.tif 000027
【図２６】
2004054038.tif 000028
【図２７】
2004054038.tif 000029
【図２８】
2004054038.tif 000030
【図２９】
2004054038.tif 000031